(57)【要約】【課題】摩擦による火花を発生させることなく、ロールの表面の落ちにくい汚れを確実に拭き取ることのできるロール清掃用ドクターブレードを提案すること。【解決手段】ロール清掃用ドクターブレード１は、長方形のブレード本体板２の先端縁部２ａを覆い隠す状態に、当該先端縁部に取り付けた研磨パッド３を有している。研磨パッド３は、研磨砥粒を均一に塗布して接着固定した合成樹脂繊維からなる不織布構造のパッドである。回転しているロールＲの表面Ｒ１に、研磨パッド３を押し付けることで、当該表面Ｒ１の汚れの拭き取りが行われる。【選択図】図１
2014091866.tif 000002
【特許請求の範囲】
【請求項１】
回転するロールの表面に押し付けて当該ロールの表面の汚れを拭き取るロール清掃用ドクターブレードであって、
長方形のブレード本体板と、
前記ブレード本体板における先端縁部を覆い隠す状態に、当該先端縁部に取り付けた研磨パッドとを有し、
前記研磨パッドは、研磨砥粒を均一に塗布して接着固定した合成樹脂繊維からなる不織布構造のパッドであり、
前記研磨パッドが清掃対象のロールの表面に押し付けられることを特徴とするロール清掃用ドクターブレード。
【請求項２】
前記研磨砥粒は、酸化アルミニウムの砥粒およびシリコンカーバイトの砥粒のうちの少なくとも一方であり、
前記合成樹脂繊維は、ナイロンあるいはポリエステル樹脂繊維である請求項１に記載のロール清掃用ドクターブレード。
【請求項３】
前記研磨パッドは、前記ブレード本体板における前記先端縁部に対して、着脱可能な状態で取り付けられている請求項１または２に記載のロール清掃用ドクターブレード。
【請求項４】
請求項１ないし３のうちのいずれか一つの項に記載のロール清掃用ドクターブレードと、
ロールの表面に押し付けられる刃先が先端縁部に形成されている長方形の金属製ドクターブレードと、
前記ロール清掃用ドクターブレードの後端縁部および前記金属製ドクターブレードの後端縁部の一方を選択的に着脱可能に保持するブレード装着部を備えたブレードホルダーと、
前記ブレードホルダーを支持しているドクターバックと、
を有していることを特徴とするドクター装置。
【発明の詳細な説明】
【技術分野】
【０００１】
本発明は、ロールの表面に付着した汚れを確実に拭き取ることのできるロール清掃用ドクターブレードに関する。また、本発明は、ロールの表面に付着した異物の掻き取り動作およびロールの表面の汚れの拭き取り動作を行うことのできるドクター装置に関する。
【背景技術】
【０００２】
ロールの表面に付着した汚れを除去するためのドクター装置として、長方形のブレード芯材の先端縁部にフェルトを取り付けた構成のドクターブレードを備えたものが知られている。この構成のドクター装置は、汚れの落ち難いロール、例えば、塗料等の薬剤が塗布された紙を巻き付けて乾燥させる円筒状ドライヤーの表面の汚れを取るために使用される。また、外周面に傷が付き易いロール、例えば、樹脂コーティングされた円筒状ドライヤーの汚れを取るために使用される。このようなドクター装置は、特許文献１に開示されている。
【先行技術文献】
【特許文献】
【０００３】
【特許文献１】特開２００１−２８８６８９号公報
【発明の概要】
【発明が解決しようとする課題】
【０００４】
ここで、金属製のロール等の場合には、フェルトを取り付けたドクターブレードを用いても、その表面の汚れを十分に取り除くことができない場合がある。このような場合には、例えば、研磨材入りのドクターブレードを用いることが考えられる。研磨材入りのドクターブレードを用いる場合には、回転するロールの表面にドクターブレードの刃先を強く押し付けると、ドクターブレードの刃先とロール表面との摩擦により火花が発生することがある。ロールの設置場所によっては、発生した火花によって火災等が発生する危険性が高い場合がある。このため、従来においては、ドクターブレードを用いてロールの表面に付着した汚れを確実に拭き取ることが出来ない場合に、人手によって、ロールの表面の汚れを拭き取る作業が必要である。
【０００５】
本発明の課題は、このような点に鑑みて、フェルトを用いたドクターブレード等でも除去できないような汚れを、摩擦による火花を発生させることなく、確実に拭き取ることのできるロール清掃用ドクターブレードを提案することにある。
【０００６】
また、本発明の課題は、フェルトを用いたドクターブレード等でも除去できないような汚れを、摩擦による火花を発生させることなく、確実に拭き取ることのできるロール清掃用ドクターブレードおよび通常のドクターブレードを必要に応じて交換して用いることのできるドクター装置を提案することにある。
【課題を解決するための手段】
【０００７】
上記の課題を解決するために、本発明は、回転するロールの表面に押し付けて当該ロールの表面の汚れを拭き取るロール清掃用ドクターブレードであって、
長方形のブレード本体板と、
前記ブレード本体板における先端縁部を覆う状態に、当該先端縁部に取り付けた研磨パッドとを有し、
前記研磨パッドは、研磨砥粒を均一に塗布して接着固定した合成樹脂繊維からなる不織布構造のパッドであり、
前記研磨パッドが清掃対象のロールの表面に押し付けられることを特徴としている。
【０００８】
ここで、前記研磨砥粒は、酸化アルミニウムの砥粒およびシリコンカーバイトの砥粒、または、これらのうちの一方の砥粒を用いることができる。前記合成樹脂繊維は、ナイロンあるいはポリエステル樹脂繊維を用いることができる。
【０００９】
また、前記研磨パッドは、前記ブレード本体板における前記先端縁部に対して、着脱可能な状態で取り付けられていることが望ましい。
【００１０】
次に、本発明のドクター装置は、
上記構成のロール清掃用ドクターブレードと、
ロールの表面に押し付けられる刃先が先端縁部に形成されている長方形の異物掻き落とし用ドクターブレードと、
前記ロール清掃用ドクターブレードの後端縁部および前記異物掻き落とし用ドクターブレードの後端縁部の一方を、選択的に、着脱可能な状態で保持するブレード装着部を備えたブレードホルダーと、
前記ブレードホルダーを支持しているドクターバックと、
を有していることを特徴としている。
【発明の効果】
【００１１】
本発明のロール清掃用ドクターブレードを用いれば、火花が発生することなく、ロール表面に付着している汚れを確実に除去でき、引火性の薬液、燃焼しやすい繊維などが設置されている場所においても火災発生の危険が無く使用できることが確認された。
【００１２】
また、研磨パッドがブレード本体板に着脱可能になっている場合には、研磨パッドの交換作業を簡単かつ迅速に行うことができる。
【００１３】
さらに、本発明のドクター装置では、通常の状態では、ドクターブレードを取り付けてロール表面の異物掻き落とし動作を行うことができる。また、当該ドクターブレードによって拭き取ることのできないような汚れがロール表面に堆積した場合には、ドクターブレードをロール清掃用ドクターブレードに交換し、当該ロール清掃用ドクターブレードによってロール表面の汚れを拭き取ることができる。したがって、常に、ロール表面を清浄な状態に維持でき、ロール表面から汚れを拭き取るために別のドクター装置を設置する必要がないので便利である。
【図面の簡単な説明】
【００１４】
【図１】本発明を適用したロール清掃用ドクターブレードを示す説明図である。
【図２】本発明を適用したドクター装置を示す説明図である。
【発明を実施するための形態】
【００１５】
以下に、図面を参照して、本発明を適用したロール清掃用ドクターブレードの実施の形態を説明する。
【００１６】
図１は本実施の形態に係るロール清掃用ドクターブレードを示す説明図である。ロール清掃用ドクターブレード１は、ブレード本体板２および研磨パッド３から構成されている。ブレード本体板２は、金属製、樹脂製等の素材からなり、細長い長方形輪郭をした一定厚さの板材である。研磨パッド３は、ブレード本体板２の一方の長辺縁部である先端側縁部２ａに取り付けられている。
【００１７】
研磨パッド３は、研磨砥粒（図示せず）を均一に塗布して接着固定した合成樹脂繊維からなる所定厚さの不織布構造のパッドである。この研磨パッド３は、ブレード本体板２の先端側縁部２ａとほぼ同一の長さで、一定幅の細長い長方形をしている。ブレード本体板２の先端側縁部２ａにおいて、研磨パッド３の一方の長辺縁部３ａの側の部位３Ａ、他方の長辺縁部３ｂの側の部位３Ｂ、および、これらの間の部位３Ｃは、それぞれ、ブレード本体板２の先端縁部２ａにおける表面２ｃの側の部位、裏面２ｄの側の部位、および、先端面２ｅの部位をそれぞれ覆っている。
【００１８】
研磨パッド３における両側の長辺縁部３ａ、３ｂには、これらに沿って一定のピッチでボルト穴（図示せず）が形成されている。ブレード本体板２の先端縁部２ａにおいても、同一のピッチでボルト穴（図示せず）が形成されている。研磨パッド３の長辺縁部３ａおよび３ｂには、それぞれ、細長い長方形の押板４Ａ、４Ｂが積層されている。各押板４Ａ、４Ｂにもボルト穴が同一ピッチで形成されている。ブレード本体板２の先端縁部２ａを包み込む状態に、研磨パッド３を取り付け、両側から押板４Ａ、４Ｂを積層する。この状態で、一方の押板４Ｂの側からボルト５を通し、これらのボルト５を反対側の押板４Ａに取り付けたナット６にねじ込み、固定する。これにより、研磨パッド３がブレード本体板２に取り付けられている。
【００１９】
図２は、ロール清掃用ドクターブレード１を取り付け可能なドクター装置の一例を示す説明図であり、（ａ）はロール清掃用ドクターブレード１が取り付けられている状態を示す説明図であり、（ｂ）は通常の動作状態において使用するドクターブレードが取り付けられている状態を示す説明図である。
【００２０】
ドクター装置１０は、ロール清掃用ドクターブレード１と、ロールＲの表面Ｒ１に付着した異物を掻き落とす異物掻き落とし用ドクターブレード１１と、これらロール清掃用ドクターブレード１および異物掻き落とし用ドクターブレード１１を着脱可能に保持するブレード装着部１２を備えたブレードホルダー１３と、ブレードホルダー１３を支持しているドクターバック１４とを有している。
【００２１】
異物掻き落とし用ドクターブレード１１は、対象のロールＲの面長を包含する長さの長方形の板材であり、金属、樹脂等の素材からなる。異物掻き落とし用ドクターブレード１１の先端側縁部には刃先１１ａが形成されており、反対側の後端側縁部１１ｂはブレードホルダー１３のブレード装着部１２に対して側方から着脱可能な部分となっている。
【００２２】
ブレードホルダー１３は、長方形のトッププレート１５と、この裏面に固定したフィンガープレート１６と、フィンガープレート１６を支軸１７回りに回転可能な状態で支持しているボトムプレート１８とを備えている。トッププレート１５の先端側縁部１５ａと、フィンガープレート１６の先端側縁部１６ａの間に、横方から異物掻き落とし用ドクターブレード１１の後端側縁部１１ｂを装着可能な溝を備えたブレード装着部１２が形成されている。フィンガープレート１６とボトムプレート１８の間には、支軸１７を挟み、前側に開放用エアーチューブ１９が配置され、後側に加圧用エアーチューブ２０が配置されている。
【００２３】
ドクターバック１４は、その両端に取り付けた支軸２１を中心として回転可能であり、ターンバックル等の機構（図示せず）によって、所定の回転位置に固定される。ドクターバック１４の上面には、ブレードホルダー１３のボトムプレート１８が固定されている。
【００２４】
ここで、ロール清掃用ドクターブレード１の後端側縁部、すなわち、そのブレード本体板２の後端側縁部２ｂは、異物掻き落とし用ドクターブレード１１の後端縁部１１ｂと同一形状および同一構造となっており、ブレードホルダー１３のブレード装着部１２に対して横方から着脱可能である。
【００２５】
通常の異物掻き落とし動作においては、図２（ｂ）に示すように、異物掻き落とし用ドクターブレード１１をブレードホルダー１３に装着して使用する。これに対して、ロールＲの表面の清掃時には、図２（ａ）に示すように、異物掻き落とし用ドクターブレード１１を外し、代わりに、ロール清掃用ドクターブレード１をブレードホルダー１３に装着して使用する。ロール清掃用ドクターブレード１の研磨パッド３の部分３ＣがロールＲの表面Ｒ１に押し付けられ、この状態でロールＲが矢印方向に回転することで、表面Ｒ１の汚れが研磨パッド３によって拭き取られる。
【００２６】
ロール清掃用ドクターブレード１を使用することにより、ロールＲの表面Ｒ１の汚れが確実に拭き取られて、光沢のある表面Ｒ１が得られる。また、ロールＲの表面Ｒ１の汚れの拭き取り動作において、火花発生率が極めて低く、安心して使用可能なことが確認された。
【００２７】
さらに、ロール清掃用ドクターブレード１の研磨パッド３は、ボルト５を緩めて外すことで、簡単にブレード本体板２から取り外すことができる。よって、研磨パッド３の交換作業を簡単に行うことができる。
【００２８】
一方、異物掻き落とし用ドクターブレード１１が装着されたドクター装置１０は、異物掻き落とし用ドクターブレード１１の代わりにロール清掃用ドクターブレード１を取り付けることで、ロール清掃用ドクター装置になる。よって、ロールＲの表面の清掃を簡単に行うことができる。また、異物掻き落とし用ドクターブレード１１が装着されたドクター装置１０は一般的なドクター装置と同一構成であるので、既存のドクター装置に対して、ロール清掃用ドクターブレード１を装着可能にすれば、既設のドクター装置を用いてロールＲの表面の清掃を、ロール清掃用ドクターブレード１を用いて行うことができるので、極めて便利である。
【符号の説明】
【００２９】
１    ロール清掃用ドクターブレード
２    ブレード本体板
２ａ  先端側縁部
２ｂ  後端側縁部
２ｃ  表面
２ｄ  裏面
２ｅ  先端面
３    研磨パッド
３Ａ、３Ｂ、３Ｃ  研磨パッドの部分
３ａ  先端側縁部
３ｂ  後端側縁部
４Ａ、４Ｂ  押板
５    ボルト
６    ナット
１０  ドクター装置
１１  異物掻き落とし用ドクターブレード
１１ａ  刃先
１１ｂ  後端側縁部
１２  ブレード装着部
１３  ブレードホルダー
１４  ドクターバック
１５  トッププレート
１６  フィンガープレート
１７  支軸
１８  ボトムプレート
１９  開放用エアーチューブ
２０  加圧用エアーチューブ
２１  支軸
Ｒ    ロール
Ｒ１  ロールの表面
【図１】
2014091866.tif 000003
【図２】
2014091866.tif 000004